(57)【要約】【課題】パケット通信における効率的な通信網の遷移を可能にし、パケット通信におけるユーザへのレスポンスを向上させることを目的とする。【解決手段】第１通信網及び第２通信網で通信可能な移動機は、パケット発信する場合に第２通信網への遷移要否を判断する判断部；及び第２通信網への遷移が不要である場合、遷移不要フラグが設定された無線接続要求を第１通信網へ送信する通信制御部；を有する。前記判断部は、アプリケーション種別と、データ量と、着信通知に設定された遷移不要フラグとのうち少なくとも１つに基づいて、第２通信網への遷移要否を判断してもよい。【選択図】図６
2011182250.tif 000002
【特許請求の範囲】
【請求項１】
第１通信網及び第２通信網で通信可能な移動機であって、
パケット発信する場合に第２通信網への遷移要否を判断する判断部；及び
第２通信網への遷移が不要である場合、遷移不要フラグが設定された無線接続要求を第１通信網へ送信する通信制御部；
を有する移動機。
【請求項２】
前記判断部は、アプリケーション種別と、データ量と、着信通知に設定された遷移不要フラグとのうち少なくとも１つに基づいて、第２通信網への遷移要否を判断する、請求項１に記載の移動機。
【請求項３】
前記第１通信網がＵＭＴＳ網であり、前記第２通信網がＬＴＥ網である、請求項１又は２に記載の移動機。
【請求項４】
第１通信網及び第２通信網で通信可能な移動機と、無線ネットワークコントローラとを有する通信システムであって、
前記移動機は、
パケット発信する場合に第２通信網への遷移要否を判断する判断部；及び
第２通信網への遷移が不要である場合、遷移不要フラグが設定された無線接続要求を第１通信網へ送信する通信制御部；
を有し、
前記無線ネットワークコントローラは、
前記移動機から無線接続要求を受信する受信部；及び
無線接続要求に遷移不要フラグが設定されている場合、第１通信網で前記移動機と無線接続を確立する無線接続確立部；
を有する通信システム。
【請求項５】
第１通信網及び第２通信網で通信可能な移動機における通信方法であって、
パケット発信する場合に第２通信網への遷移要否を判断するステップ；及び
第２通信網への遷移が不要である場合、遷移不要フラグが設定された無線接続要求を第１通信網へ送信するステップ；
を有する通信方法。
【発明の詳細な説明】
【技術分野】
【０００１】
本発明は、移動機、通信システム及び通信方法に関する。
【背景技術】
【０００２】
現在、ＵＭＴＳ（Universal Mobile Telecommunications System）のような第３世代移動通信システムでは、数百kbps〜数Mbpsのパケット通信が可能である。一方、３ＧＰＰ（3rd Generation Partnership Project）で検討されているＬＴＥ（Long Term Evolution）は、下り100Mbps、上り50Mbpsの高速通信を可能にする技術である。
【０００３】
ＵＭＴＳ網では、音声等の回線交換及びデータ等のパケット交換が提供され、ＬＴＥ網では、データ等のパケット交換が提供される。移動機がパケット発信する場合、移動機は、まず、在圏しているアクセス網へ無線接続要求を送信する。移動機からＬＴＥアクセス網又はＵＭＴＳアクセス網への無線接続要求には、RRC Connection Requestと呼ばれるメッセージが用いられる（非特許文献１参照）。無線接続が確立されると、移動機はパケット発信要求をコア網へ送信し、コア網との接続が確立される。その後、パケットがサーバに送信される。
【先行技術文献】
【非特許文献】
【０００４】
【非特許文献１】TS 25.331
【発明の概要】
【発明が解決しようとする課題】
【０００５】
上記のように、ＵＭＴＳ網に在圏する移動機がパケット発信する場合、まず、移動機は、ＵＭＴＳ網の無線ネットワークコントローラ（ＲＮＣ：Radio Network Controller）に無線接続要求を送信する。この無線接続要求に従って、移動機とＲＮＣとの間で無線接続が確立されると、ＵＭＴＳ網でのパケット通信が実施される。この場合、移動機がＬＴＥ網で高速パケット通信が可能であるとしても、ＲＮＣからＬＴＥへの遷移を要求されない限り、ＵＭＴＳ網での通信が実施される。
【０００６】
このような場合、無線接続要求に対して移動機をＬＴＥ網へ遷移させることにより、高速パケット通信が可能になる。しかし、メールの送受信や、簡易な情報の送受信等のように、データ量の少ないアプリケーションも存在する。このようなデータ量の少ないアプリケーションによるパケット発信の場合にも一律にＬＴＥ網へ遷移させた場合、基地局の検出、同期の確立等に伴う接続時間の遅延が生じる。また、ＬＴＥ網への遷移に伴い、多数の制御信号の送受信が生じる。その結果、ユーザへのレスポンスが遅くなる可能性がある。従って、データ量の少ないアプリケーションの場合には、ＵＭＴＳ網で通信を継続させる方が効率的である。
【０００７】
本発明は、パケット通信における効率的な通信網の遷移を可能にし、パケット通信におけるユーザへのレスポンスを向上させることを目的とする。
【課題を解決するための手段】
【０００８】
本発明の移動機は、
第１通信網及び第２通信網で通信可能な移動機であって、
パケット発信する場合に第２通信網への遷移要否を判断する判断部；及び
第２通信網への遷移が不要である場合、遷移不要フラグが設定された無線接続要求を第１通信網へ送信する通信制御部；
を有することを特徴とする。
【０００９】
本発明の通信システムは、
第１通信網及び第２通信網で通信可能な移動機と、無線ネットワークコントローラとを有する通信システムであって、
前記移動機は、
パケット発信する場合に第２通信網への遷移要否を判断する判断部；及び
第２通信網への遷移が不要である場合、遷移不要フラグが設定された無線接続要求を第１通信網へ送信する通信制御部；
を有し、
前記無線ネットワークコントローラは、
前記移動機から無線接続要求を受信する受信部；及び
無線接続要求に遷移不要フラグが設定されている場合、第１通信網で前記移動機と無線接続を確立する無線接続確立部；
を有することを特徴とする。
【００１０】
本発明の通信方法は、
第１通信網及び第２通信網で通信可能な移動機における通信方法であって、
パケット発信する場合に第２通信網への遷移要否を判断するステップ；及び
第２通信網への遷移が不要である場合、遷移不要フラグが設定された無線接続要求を第１通信網へ送信するステップ；
を有することを特徴とする。
【発明の効果】
【００１１】
本発明の実施例によれば、パケット通信における効率的な通信網の遷移が可能になり、パケット通信におけるユーザへのレスポンスを向上できる。
【図面の簡単な説明】
【００１２】
【図１】本発明の実施例に係る通信システムの概略図（ＬＴＥ網への遷移を指示する実施例）
【図２】本発明の実施例に係る通信システムのブロック図（ＬＴＥ網への遷移を指示する実施例）
【図３】本発明の実施例に係る発信時の通信方法のシーケンス図（ＬＴＥ網への遷移を指示する実施例）
【図４】本発明の実施例に係る着信時の通信方法のシーケンス図（ＬＴＥ網への遷移を指示する実施例）
【図５】本発明の実施例に係る通信システムの概略図（ＬＴＥ網への遷移要否を判断する変形例）
【図６】本発明の実施例に係る通信システムのブロック図（ＬＴＥ網への遷移要否を判断する変形例）
【図７】本発明の実施例に係る発信時の通信方法のシーケンス図（ＬＴＥ網への遷移要否を判断する変形例）
【図８】本発明の実施例に係る着信時の通信方法のシーケンス図（ＬＴＥ網への遷移要否を判断する変形例）
【発明を実施するための形態】
【００１３】
本発明の実施例では、それぞれ異なる無線アクセス技術を適用した複数の無線アクセス網（ＲＡＴ：Radio Access Technology）で通信可能な移動機が用いられる。例えば、移動機は、ＵＭＴＳ網及びＬＴＥ網で通信可能である。以下、低速パケット通信網としてＵＭＴＳ網を用い、高速パケット通信網としてＬＴＥ網を用いて、本発明の実施例について説明するが、本発明は、ＣＤＭＡ２０００（Code Division Multiple Access 2000）網、ＧＳＭ（Global System for Mobile Communications）網、ＧＰＲＳ（General Packet Radio Service）網のような他の通信網にも適用可能である。
【００１４】
本発明の実施例では、ＵＭＴＳ網に在圏する移動機がパケット発信する場合、まず、ＵＭＴＳ網の無線ネットワークコントローラ（ＲＮＣ：Radio Network Controller）に無線接続要求（RRC Connection Request）を送信する。ＲＮＣは、無線接続要求を受信し、無線接続要求のメッセージ内容から、パケット発信であるか音声発信であるかを判断する。無線接続要求がパケット発信による接続要求である場合、ＲＮＣは、ＬＴＥ網が存在するエリアであれば、ＬＴＥ網への遷移を指示する。このようにして、移動機がＵＭＴＳ網に在圏している場合であっても、ＬＴＥ網での高速パケット通信が可能になる。
【００１５】
しかし、データ量の少ないアプリケーションによるパケット発信の場合にも一律にＬＴＥ網へ遷移させた場合、基地局の検出、同期の確立等に伴う接続時間の遅延が生じる。また、ＬＴＥ網への遷移に伴い、多数の制御信号の送受信が生じる。その結果、ユーザへのレスポンスが遅くなる可能性がある。
【００１６】
このため、移動機は、パケット発信時にＬＴＥ網への遷移要否を判断し、ＬＴＥ網への遷移が不要である場合、ＵＭＴＳ網で通信を継続させる。具体的には、ＵＭＴＳ網に在圏する移動機がパケット発信する場合、まず、ＬＴＥ網への遷移要否を判断する。例えば、データ量の少ないアプリケーションの場合には、ＬＴＥ網への遷移が不要であると判断する。ＬＴＥ網への遷移が不要である場合、移動機は、ＬＴＥ網への遷移が不要であることを示すＬＴＥ遷移不要フラグを無線接続要求に設定し、無線接続要求をＵＭＴＳ網のＲＮＣに送信する。
【００１７】
ＵＭＴＳ網のＲＮＣは、無線接続要求にＬＴＥ遷移不要フラグが設定されている場合、ＬＴＥ網への遷移を指示せずに、ＵＭＴＳ網で無線接続を確立する。このようにして、移動機は、ＵＭＴＳ網で通信を継続できる。
【００１８】
また、ＵＭＴＳ網に在圏する移動機が、ＬＴＥ網への遷移が必要であると判断した場合、移動機は、ＬＴＥ遷移不要フラグを無線接続要求に設定せずに、無線接続要求をＵＭＴＳ網のＲＮＣに送信する。
【００１９】
ＵＭＴＳ網のＲＮＣは、無線接続要求にＬＴＥ遷移不要フラグが設定されていない場合、ＬＴＥ網が存在するエリアであれば、ＬＴＥ網への遷移を指示する。このようにして、ＬＴＥ網での高速パケット通信が可能になる。
【００２０】
以下、ＵＭＴＳ網のＲＮＣが移動機にＬＴＥ網への遷移を指示する実施例について説明し、その変形例として、移動機がパケット発信時にＬＴＥ網への遷移要否を判断する例について説明する。
【００２１】
＜通信システムの全体構成＞
図１に、本発明の実施例に係る通信システムの概略図を示す。通信システムは、それぞれ異なる無線アクセス技術を適用した複数の無線アクセス網と、複数の無線アクセス網で通信可能な移動機とを含む。
【００２２】
例えば、無線アクセス網は、ＵＭＴＳ網とＬＴＥ網とを含む。ＵＭＴＳ網は、ＵＭＴＳアクセス網とＵＭＴＳコア網とを含み、ＵＭＴＳ網では、数百kbps〜数Mbpsのパケット通信が可能である。ＬＴＥ網は、ＬＴＥアクセス網とＬＴＥコア網とを含み、ＬＴＥ網では、数十Mbps〜数百Mbpsのパケット通信が可能である。ＵＭＴＳアクセス網には、ＲＮＣと呼ばれる無線リソースを管理する装置と、ＢＴＳ（Base Transceiver Station）と呼ばれる基地局とが含まれる。ＬＴＥアクセス網には、ｅＮＢ（eNode-B）と呼ばれる基地局が含まれる。ＬＴＥアクセス網では、ｅＮＢが無線リソースを管理する。
【００２３】
移動機は、ＵＭＴＳアクセス網及びＵＭＴＳコア網を経由して、或いは、ＬＴＥアクセス網及びＬＴＥコア網を経由して、サーバと通信する。ＵＭＴＳ網に在圏する移動機がサーバにパケット発信する場合、移動機は、ＵＭＴＳアクセス網のＲＮＣに無線接続要求（RRC Connection Request）を送信する。
【００２４】
ＵＭＴＳアクセス網のＲＮＣは、無線接続要求のメッセージ内容から、パケット発信であるか音声発信であるかを判断する。無線接続要求がパケット発信による接続要求である場合、ＲＮＣは、ＬＴＥ網が存在するエリアであれば、ＬＴＥ網への遷移を指示するＬＴＥ遷移指示を送信する。
【００２５】
移動機は、ＬＴＥ遷移指示を受信すると、ＵＭＴＳ網との無線接続を解放し、ＬＴＥ網で通信するために必要な基地局の検出、同期の確立等を実行し、ＬＴＥ網のｅＮＢに無線接続要求（RRC Connection Request）を送信する。このようにして、移動機は、ＬＴＥ網を経由してサーバと通信する。
【００２６】
図２に、本発明の実施例に係る通信システムのブロック図を示す。通信システムは、移動機（ＵＥ：User Equipment）１０と、ＬＴＥアクセス網２０と、ＬＴＥコア網２１と、ＵＭＴＳアクセス網３０と、ＵＭＴＳコア網３１と、サーバ４０１と、ＳＭＳ（Short Messaging Service）センター４０３とを含む。
【００２７】
移動機１０は、パケット発信要求部１０１と、在圏ＲＡＴ判断部１０５と、ＬＴＥパケット通信制御部１０７と、ＵＭＴＳパケット通信制御部１０９と、ＳＭＳ処理部１１１とを含む。
【００２８】
パケット発信要求部１０１は、移動機１０上で実行されるアプリケーションでパケット通信が必要になった場合に、パケット発信要求を生成する。
【００２９】
在圏ＲＡＴ判断部１０５は、移動機が在圏する無線アクセス網を判断し、パケット発信要求をＬＴＥパケット通信制御部１０７又はＵＭＴＳパケット通信制御部１０９に転送する。例えば、移動機がＬＴＥ網に在圏している場合、パケット発信要求をＬＴＥパケット通信制御部１０７に転送し、移動機がＵＭＴＳ網に在圏している場合、パケット発信要求をＵＭＴＳパケット通信制御部１０９に転送する。
【００３０】
ＬＴＥパケット通信制御部１０７は、パケット発信要求を受信すると、ＬＴＥアクセス網のｅＮＢに無線接続要求を送信し、無線接続を確立する。その後、ＬＴＥアクセス網を経由して、ＬＴＥコア網の交換機にパケット発信要求を送信する。
【００３１】
ＵＭＴＳパケット通信制御部１０９は、パケット発信要求を受信すると、ＵＭＴＳアクセス網のＲＮＣに無線接続要求を送信する。無線接続要求には、パケット発信であることを示すパケット発信フラグを設定する。3GPP TS 25.311によれば、RRC Connection RequestのEstablishment cause内に、パケット発信であるか音声発信であるかを設定できる。パケット発信フラグが設定された無線接続要求に対して、ＵＭＴＳパケット通信制御部１０９は、ＲＮＣからＬＴＥ遷移指示を受信する。ＵＭＴＳパケット通信制御部１０９は、ＬＴＥ遷移指示に従って、パケット発信要求をＬＴＥパケット通信制御部１０７に転送する。その後、前述のように、ＬＴＥパケット通信制御部１０７において、無線接続が確立される。
【００３２】
ＳＭＳ処理部１１１は、ＳＭＳ着信通知を解析する。ＳＭＳ着信通知は、サーバ４０１上に移動機１０宛のメール等の着信があったことを示すために用いられる。ＳＭＳ着信通知には、移動機１０上のどのアプリケーションに対して着信通知があったかを示す情報が示される。ＳＭＳ処理部１１１は、移動機１０上のアプリケーションに対して、着信があったことを通知する。なお、ＳＭＳは、着信通知の１つの手段の例であり、他の着信通知手段が用いられてもよい。
【００３３】
ＬＴＥアクセス網２０は、送受信部２０１と、無線接続確立部２０３とを含む。これらの機能部は、主にＬＴＥアクセス網のｅＮＢに実装される。
【００３４】
移動機からＬＴＥアクセス網へ送信された無線接続要求は、送受信部２０１により受信され、無線接続確立部２０３により無線接続が確立される。
【００３５】
ＬＴＥコア網２１は、サーバ４０１及びＳＭＳセンター４０３が接続されているＩＰ（Internet Protocol）網等とＬＴＥアクセス網２０とを接続する。
【００３６】
ＵＭＴＳアクセス網３０は、送受信部３０１と、無線接続確立部３０３と、ＬＴＥ遷移指示部３０５とを含む。これらの機能は、主にＵＭＴＳ網のＲＮＣに実装される。
【００３７】
移動機からＵＭＴＳアクセス網へ送信された無線接続要求は、送受信部３０１により受信される。無線接続要求にパケット発信フラグが設定されている場合、ＬＴＥ遷移指示部３０５によりＬＴＥ遷移指示が送信される。無線接続要求にパケット発信フラグが設定されていない場合、無線接続確立部３０３により無線接続が確立される。
【００３８】
ＵＭＴＳコア網３１は、サーバ４０１及びＳＭＳセンター４０３が接続されているＩＰ（Internet Protocol）網等とＵＭＴＳアクセス網３０とを接続する。
【００３９】
サーバ４０１は、移動機１０からのパケット発信を処理する装置である。例えば、サーバ４０１は、移動機１０からメールを受信し、宛先に転送する。また、例えば、移動機１０から契約状況確認を受信し、契約状況を検索して移動機１０に送信する。更に、サーバ４０１は、ＳＭＳセンター４０３等を介して移動機１０に着信通知を送信することにより、移動機１０からのパケット発信を促してもよい。例えば、サーバ４０１は、移動機１０のメールアプリケーションに対して、メール着信があったことを通知する。着信通知がＳＭＳ形式で移動機１０に送信される場合、サーバ４０１は、ＳＭＳセンター４０３にパケット着信要求を送信する。
【００４０】
ＳＭＳセンター４０３は、サーバ４０１に着信があった場合、サーバ４０１からパケット着信要求を受信し、ＳＭＳ形式で着信通知を移動機１０に送信する。
【００４１】
＜通信方法のシーケンス図＞
図３及び図４は、本発明の実施例に係る通信方法のシーケンス図である。
【００４２】
図３は、ＵＭＴＳ網に在圏する移動機がパケット発信する場合に相当する。
【００４３】
まず、移動機のアプリケーションでパケット通信が必要になった場合、パケット発信要求が生成される（Ｓ１１１）。パケット発信要求は、移動機のＵＭＴＳパケット通信制御部１０９に送信される（Ｓ１１５）。
【００４４】
ＵＭＴＳパケット通信制御部１０９は、パケット発信要求に対して、ＵＭＴＳアクセス網のＲＮＣに無線接続要求を送信する（Ｓ１１７）。無線接続要求には、パケット発信であることを示すパケット発信フラグが設定される。ＲＮＣは、ＬＴＥ網が存在するエリアであれば、ＬＴＥ網への遷移を指示するＬＴＥ遷移指示を送信する（Ｓ１１９）。
【００４５】
移動機のＵＭＴＳパケット通信制御部１０９がＬＴＥ遷移指示を受信すると、ＵＭＴＳ網との無線接続を解放する。そして、移動機のＬＴＥパケット通信制御部１０７は、ＬＴＥ網で通信するために必要な基地局の検出、同期の確立等を実行する（Ｓ１２１）。移動機のＬＴＥパケット通信制御部１０７は、ＬＴＥアクセス網のｅＮＢに無線接続要求を送信し（Ｓ１２３）、無線接続を確立する（Ｓ１２５）。その後、移動機のＬＴＥパケット通信制御部１０７は、パケット発信要求をＬＴＥコア網の交換機に送信し（Ｓ１２７）、パケットを発信する（Ｓ１２９）。
【００４６】
図４は、ＵＭＴＳ網に在圏する移動機がＳＭＳ着信通知を受けてパケット発信する場合に相当する。
【００４７】
サーバ上に移動機宛の着信があった場合、サーバは、ＳＭＳセンターにパケット着信要求を送信する（Ｓ１０１）。ＳＭＳセンターは、パケット着信要求を受信すると、着信通知用のＳＭＳ（ＳＭＳ着信通知）を生成し、移動機に送信する（Ｓ１０３）。なお、移動機がＵＭＴＳ網に在圏している場合、ＳＭＳ着信通知は、ＵＭＴＳコア網及びＵＭＴＳアクセス網を経由して移動機に通知される。
【００４８】
移動機が着信通知を確認して、パケット発信する場合、図３と同様の手順でパケットが発信される。
【００４９】
＜変形例＞
次に、上記の変形例について説明する。本変形例では、移動機がパケット発信時にＬＴＥ網への遷移要否を判断し、ＬＴＥ網への遷移が不要である場合、ＵＭＴＳ網で通信を継続させることについて説明する。
【００５０】
＜変形例：通信システムの全体構成＞
図５に、本変形例に係る通信システムの概略図を示す。通信システムは、図１と同様に構成される。
【００５１】
ＵＭＴＳ網に在圏する移動機がサーバにパケット発信する場合、移動機は、ＵＭＴＳアクセス網のＲＮＣに無線接続要求（RRC Connection Request）を送信する。例えば、データ量の少ないアプリケーションの場合には、ＬＴＥ網への遷移が不要であると判断し、ＬＴＥ遷移不要フラグを無線接続要求に設定して、無線接続要求をＵＭＴＳ網のＲＮＣに送信する。一方、データ量の多いアプリケーションの場合又は送受信される予定のデータ量が多い場合には、ＬＴＥ遷移不要フラグを設定しない。
【００５２】
ＵＭＴＳアクセス網のＲＮＣは、無線接続要求にＬＴＥ遷移不要フラグが設定されている場合、ＬＴＥ網への遷移を指示せずに、ＵＴＭＳ網で無線接続を確立する。このようにして、移動機は、ＵＭＴＳ網を経由してサーバと通信する。
【００５３】
一方、ＵＭＴＳアクセス網のＲＮＣは、無線接続要求にＬＴＥ遷移不要フラグが設定されていない場合、ＬＴＥ網への遷移を指示するＬＴＥ遷移指示を送信する。移動機は、ＬＴＥ遷移指示を受信すると、ＵＭＴＳ網との無線接続を解放し、ＬＴＥ網で通信するために必要な基地局の検出、同期の確立等を実行し、ＬＴＥ網のｅＮＢに無線接続要求（RRC Connection Request）を送信する。このようにして、移動機は、ＬＴＥ網を経由してサーバと通信する。
【００５４】
図６に、本変形例に係る通信システムのブロック図を示す。図２の通信システムと同様に、通信システムは、移動機（ＵＥ：User Equipment）１０と、ＬＴＥアクセス網２０と、ＬＴＥコア網２１と、ＵＭＴＳアクセス網３０と、ＵＭＴＳコア網３１と、サーバ４０１と、ＳＭＳ（Short Messaging Service）センター４０３とを含む。
【００５５】
移動機は、図２の移動機１０に加えて、アプリケーション種別・閾値判断部１０３を更に含む。アプリケーション種別・閾値判断部１０３、在圏ＲＡＴ判断部１０５及びＳＭＳ処理部１１１は、まとめて判断部として構成されてもよい。
【００５６】
パケット発信要求部１０１は、移動機１０上で実行されるアプリケーションでパケット通信が必要になった場合に、パケット発信要求を生成する。
【００５７】
アプリケーション種別・閾値判断部１０３は、アプリケーション種別、データ量又はＳＭＳ着信通知に設定されたＬＴＥ遷移不要フラグに基づいて、ＬＴＥ網への遷移要否を判断する。例えば、メールの送受信、歩数計の歩数送信、契約状況確認のようにデータ量の少ないアプリケーションの場合には、ＬＴＥ網への遷移が不要であると判断し、パケット発信要求にＬＴＥ遷移不要フラグを設定する。また、例えば、送受信される予定のデータ量が閾値を超える場合は、アプリケーション種別に基づいてＬＴＥ遷移不要フラグが設定されていても、ＬＴＥ網への遷移が必要であると判断し、ＬＴＥ遷移不要フラグを削除する。また、以下に説明するようにＳＭＳ着信通知にＬＴＥ遷移不要フラグが設定されている場合、パケット発信要求にＬＴＥ遷移不要フラグを設定してもよい。
【００５８】
在圏ＲＡＴ判断部１０５及びＬＴＥパケット通信制御部１０７は、図２と同様に構成される。
【００５９】
ＵＭＴＳパケット通信制御部１０９は、パケット発信要求を受信すると、ＵＭＴＳアクセス網のＲＮＣに無線接続要求を送信する。パケット発信要求にＬＴＥ遷移不要フラグが設定されている場合、ＵＭＴＳパケット通信制御部１０９は、無線接続要求にＬＴＥ遷移不要フラグを設定する。3GPP TS 25.331によれば、RRC Connection RequestのPre-redirection info内に、移動機が遷移可能な無線アクセス網を設定できる。パケット発信要求にＬＴＥ遷移不要フラグが設定されていない場合、例えば、ＵＭＴＳパケット通信制御部１０９は、Pre-redirection infoを格納しないことにより、ＲＮＣがＬＴＥへの遷移を要求できない状況としてもよい。ＵＭＴＳアクセス網との無線接続が確立されると、ＵＭＴＳパケット通信制御部１０９は、ＵＭＴＳアクセス網を経由して、ＵＭＴＳコア網の交換機にパケット発信要求を送信する。
【００６０】
パケット発信要求にＬＴＥ遷移不要フラグが設定されていない場合、ＵＭＴＳパケット通信制御部１０９は、無線接続要求にＬＴＥ遷移不要フラグを設定しない。パケット発信要求にＬＴＥ遷移不要フラグが設定されていない場合、例えば、ＵＭＴＳパケット通信制御部１０９は、Pre-redirection infoにSupport of E-UTRA FDDまたはSupport of E-UTRA TDDを設定してもよい。ＵＭＴＳパケット通信制御部１０９は、ＬＴＥ遷移不要フラグを設定せずに無線接続要求を送信し、ＬＴＥ遷移指示を受信した場合、パケット発信要求をＬＴＥパケット通信制御部１０７に転送する。その後、前述のように、ＬＴＥパケット通信制御部１０７において、無線接続が確立される。
【００６１】
ＳＭＳ処理部１１１は、ＳＭＳ着信通知を解析する。ＳＭＳ着信通知には、以下に説明するように、ＳＭＳセンター４０３においてＬＴＥ遷移不要フラグが設定されていてもよい。このため、ＳＭＳ処理部１１１は、着信通知にＬＴＥ遷移不要フラグが設定されているか否かを確認する。着信通知にＬＴＥ遷移不要フラグが設定されている場合、ＳＭＳ処理部１１１は、アプリケーション種別・閾値判断部１０３に対して、ＬＴＥ遷移不要フラグを設定するように指示してもよい。
【００６２】
ＬＴＥアクセス網２０、ＬＴＥコア網２１及びＳＭＳコア網３１は、図２と同様に構成される。
【００６３】
ＵＭＴＳアクセス網３０は、図２のＵＭＴＳアクセス網３０と同様に、送受信部３０１と、無線接続確立部３０３と、ＬＴＥ遷移指示部３０５とを含む。
【００６４】
移動機からＵＭＴＳアクセス網へ送信された無線接続要求は、送受信部３０１により受信される。無線接続要求にＬＴＥ遷移不要フラグが設定されている場合、無線接続確立部３０３により無線接続が確立される。無線接続要求にＬＴＥ遷移不要フラグが設定されていない場合、ＬＴＥ遷移指示部３０５によりＬＴＥ遷移指示が送信される。
【００６５】
サーバ４０１は、移動機１０のどのアプリケーションに対して着信があったかを理解しているため、アプリケーション種別に基づいて、ＬＴＥ遷移不要フラグをパケット着信要求に設定し、ＳＭＳセンター４０３に送信する。例えば、メールの着信のように、データ量の少ないアプリケーションの場合には、ＬＴＥ網への遷移が不要であると判断し、パケット着信要求にＬＴＥ遷移不要フラグを設定する。
【００６６】
ＳＭＳセンター４０３は、サーバ４０１からＬＴＥ遷移不要フラグが設定されたパケット着信要求を受信した場合、ＳＭＳ着信通知にＬＴＥ遷移不要フラグを設定し、ＳＭＳ着信通知を移動機１０に送信する。
【００６７】
＜変形例：通信方法のシーケンス図＞
図７及び図８は、本変形例に係る通信方法のシーケンス図である。
【００６８】
図７は、ＵＭＴＳ網に在圏する移動機がパケット発信する場合に相当する。
【００６９】
まず、移動機のアプリケーションでパケット通信が必要になった場合、パケット発信要求が生成される（Ｓ２１１）。移動機は、例えば、アプリケーション種別又はデータ量に基づいて、ＬＴＥ網への遷移要否を判断する（Ｓ２１３）。例えば、メールの送受信、歩数計の歩数送信、契約状況確認のような場合、ＬＴＥ網への遷移が不要であると判断する。このような場合、パケット発信要求にＬＴＥ遷移不要フラグが設定される。パケット発信要求は、移動機のＵＭＴＳパケット通信制御部１０９に送信される（Ｓ２１５）。
【００７０】
ＵＭＴＳパケット通信制御部１０９は、パケット発信要求に対して、ＵＭＴＳアクセス網のＲＮＣに無線接続要求を送信する（Ｓ２１７）。無線接続要求にＬＴＥ遷移不要フラグが設定されている場合、ＵＭＴＳアクセス網のＲＮＣは、ＬＴＥ遷移指示を送信せずに、無線接続を確立する（Ｓ２２５）。その後、移動機のＵＭＴＳパケット通信制御部１０９は、パケット発信要求をＵＭＴＳコア網の交換機に送信し（Ｓ２２７）、パケットを発信する（Ｓ２２９）。
【００７１】
一方、移動機のブラウザのようなアプリケーションでパケット通信が必要になった場合、パケット発信要求が生成される（Ｓ３１１）。移動機は、例えば、アプリケーション種別又はデータ量に基づいて、ＬＴＥ網への遷移要否を判断する（Ｓ３１３）。例えば、音楽や動画の送受信のような場合、ＬＴＥ網への遷移が必要であると判断する。また、例えば、メールの送受信、歩数計の歩数送信、契約状況確認のような場合であっても、送受信される予定のデータ量が閾値を超える場合は、ＬＴＥ網への遷移が必要であると判断する。このような場合、パケット発信要求にＬＴＥ遷移不要フラグは設定されない。パケット発信要求は、移動機のＵＭＴＳパケット通信制御部１０９に送信される（Ｓ３１５）。
【００７２】
ＵＭＴＳパケット通信制御部１０９は、パケット発信要求に対して、ＵＭＴＳアクセス網のＲＮＣに無線接続要求を送信する（Ｓ３１７）。無線接続要求には、ＬＴＥ遷移不要フラグは設定されず、パケット発信であることを示すパケット発信フラグが設定される。無線接続要求にＬＴＥ遷移不要フラグが設定されておらず、パケット発信フラグが設定されている場合、ＵＭＴＳアクセス網のＲＮＣは、ＬＴＥ網が存在するエリアであれば、ＬＴＥ網への遷移を指示するＬＴＥ遷移指示を送信する（Ｓ３１９）。
【００７３】
移動機のＵＭＴＳパケット通信制御部１０９がＬＴＥ遷移指示を受信すると、ＵＭＴＳ網との無線接続を解放する。そして、移動機のＬＴＥパケット通信制御部１０７は、ＬＴＥ網で通信するために必要な基地局の検出、同期の確立等を実行する（Ｓ３２１）。移動機のＬＴＥパケット通信制御部１０７は、ＬＴＥアクセス網のｅＮＢに無線接続要求を送信し（Ｓ３２３）、無線接続を確立する（Ｓ３２５）。その後、移動機のＬＴＥパケット通信制御部１０７は、パケット発信要求をＬＴＥコア網の交換機に送信し（Ｓ３２７）、パケットを発信する（Ｓ３２９）。
【００７４】
図８は、ＵＭＴＳ網に在圏する移動機がＳＭＳ着信通知を受けてパケット発信する場合に相当する。
【００７５】
サーバ上に移動機宛の着信があった場合、サーバは、ＳＭＳセンターにパケット着信要求を送信する（Ｓ３０１）。例えば、メールの着信の場合、パケット着信要求にＬＴＥ遷移不要フラグを設定する。ＳＭＳセンターは、ＬＴＥ遷移不要フラグが設定されたパケット着信要求を受信すると、着信通知用のＳＭＳ（ＳＭＳ着信通知）にＬＴＥ遷移不要フラグを設定し、移動機に送信する（Ｓ３０３）。なお、移動機がＵＭＴＳ網に在圏している場合、ＳＭＳ着信通知は、ＵＭＴＳコア網及びＵＭＴＳアクセス網を経由して移動機に通知される。
【００７６】
移動機が着信通知を確認して、パケット通信する場合、図７と同様の手順でパケットが発信される。なお、ステップ３１３において、移動機は、ＳＭＳ着信通知に設定されたＬＴＥ遷移不要フラグ、アプリケーション種別又はデータ量に基づいて、ＬＴＥ網への遷移要否を判断してもよい。例えば、ＳＭＳ着信通知にＬＴＥ遷移不要フラグが設定されている場合、アプリケーション種別及びデータ量について判断してもよく、判断しなくてもよい。このように、移動機は、ＬＴＥ遷移不要フラグと、アプリケーション種別と、データ量とのうち少なくとも１つに基づいてパケット発信要求にＬＴＥ遷移不要フラグを設定してもよい。
【００７７】
なお、上記の実施例では、ＬＴＥ網及びＵＭＴＳ網で通信可能な移動機１０について説明したが、本発明の概念は、無線アクセス技術の異なる複数のパケット通信網で通信可能な如何なる移動機１０にも適用可能である。
【００７８】
＜実施例の効果＞
本発明の実施例によれば、パケット通信がＬＴＥ網で優先的に実施され、高速パケット通信が可能になる。
【００７９】
一方、移動機がＵＭＴＳ網に在圏している場合、データ量の少ないアプリケーションの場合には、ＵＭＴＳ網での通信を継続できる。このため、ＬＴＥ網への遷移に伴う遅延を回避できる。更に、ＬＴＥ網への遷移に伴う信号量も削減できる。
【００８０】
また、通常はデータ量の少ないアプリケーションであるが、一時的にデータ量が増加したときには、データ量の閾値比較により、ＬＴＥ網に遷移させ、高速パケット通信が可能になる。
【符号の説明】
【００８１】
１０１  パケット発信要求部
１０３  アプリケーション種別・閾値判断部
１０５  在圏ＲＡＴ判断部
１０７  ＬＴＥパケット通信判断部
１０９  ＵＭＴＳパケット通信判断部
１１１  ＳＭＳ処理部
２０１  送受信部
２０３  無線接続確立部
３０１  送受信部
３０３  無線接続確立部
３０５  ＬＴＥ遷移指示部
４０１  サーバ
４０３  ＳＭＳセンター
【図１】
2011182250.tif 000003
【図２】
2011182250.tif 000004
【図３】
2011182250.tif 000005
【図４】
2011182250.tif 000006
【図５】
2011182250.tif 000007
【図６】
2011182250.tif 000008
【図７】
2011182250.tif 000009
【図８】
2011182250.tif 000010